(57)【要約】【課題】施工性に優れ、設置の前後を通じて、設置場所の傾斜角度に応じて柔軟に笠木の角度調整ができる手摺を提供する。【解決手段】支柱に笠木を取付けてなる手摺において、支柱を１本とし、その支柱の上部に取付部材を設け、その取付部材とビス等の固着手段とにより前記笠木を支柱の軸線上において取付部材に交差する軸線の周りに角度調整可能に固定した。【選択図】図１
2011032701.tif 000002
【特許請求の範囲】
【請求項１】
支柱に笠木を取付けてなる手摺において、支柱を１本とし、その支柱の上部に取付部材を設け、その取付部材とビス等の固着手段とにより前記笠木を取付部材に交差する軸線の周りに回転角度調整可能に固定したことを特徴とする手摺。
【請求項２】
取付部材の正面側に笠木を設けたことを特徴とする請求項１に記載の手摺。
【請求項３】
笠木の中心部に被固着部材を備え、その被固着部材が支柱の軸線上において取付部材に交差する軸線周りの回転角度を調整可能に固着されていることを特徴とする請求項２に記載の手摺。
【請求項４】
笠木は、取付部材に支柱から歩行者通路側に傾斜させた状態で取付けられていることを特徴とする請求項１〜３のいずれか１項に記載の手摺。
【請求項５】
笠木は、一対の横向きＵ字形ビームを左右対称形に配置し、そのＵ字形ビームの端部同士を連結部材により連結してなることを特徴とする請求項１〜４のいずれか１項に記載の手摺。
【請求項６】
被固着部材は、連結部材に一体的に設けられていることを特徴とする請求項３〜５のいずれか１項に記載の手摺。
【請求項７】
支柱に設けられた取付部材と笠木に設けられた被固着部材は、互いに対面して噛み合う菊花紋状の面歯車部を有することを特徴とする請求項３〜６のいずれか１項に記載の手摺。
【請求項８】
取付部材の面歯車部の中心と被固着部材の面歯車部の中心の一方には円孔を、他方にはその円孔方向に突出してその円孔に回転自在に嵌合する軸を設けてあることを特徴とする請求項３〜７のいずれか１項に記載の手摺。
【請求項９】
取付部材に、笠木を固定した後の取付部材の背面と固着手段とを被覆するカバー材を備えたことを特徴とする請求項１〜８のいずれか１項に記載の手摺。
【発明の詳細な説明】
【技術分野】
【０００１】
本発明は、支柱又は手摺子(以下、支柱という。)に笠木又は横木(以下、笠木という。)を取付けてなる手摺に関する。
【背景技術】
【０００２】
従来、支柱に笠木を取付けてなる手摺は、複数本の隔てた支柱の上端部に笠木を架設し、その笠木を釘やビス等で支柱に固着して構成されているのが、一般的である(特許文献
１)。このような構造の手摺は、支柱に対する笠木の接続角度が製作時に固定されてしま
うので、手摺の設置時又は設置後に、支柱に対する笠木の接続角度を階段や橋などの設置場所の傾斜角度に応じて変更又は調整することができない。
【０００３】
支柱に対する笠木の接続角度を、設置場所の傾斜角度に応じて変更又は調整可能にした手摺は、例えば、特許文献２、３に開示されている。 
【先行技術文献】
【特許文献】
【０００４】
【特許文献１】特開平９−１４４２６３号公報
【特許文献２】特開２００８−４５３５６号公報
【特許文献３】特開２００８−２４０３０９号公報
【発明の概要】
【発明が解決しようとする課題】
【０００５】
しかしながら、上記先行技術は、笠木が上下２段のビームをＣ字状の端部結合部材で結合してなり、複数本の支柱の上下に固着されたブラケットと、笠木の上下のビームに固着されたホルダーとを軸により、その軸を中心に笠木の上下方向角度調整自在に連結して構成されている。
【０００６】
従って、まず、手摺の構造が複雑で部品数が多く、施工性にも問題がある。また、笠木の角度調整には、少なくとも４箇所のブラケットとホルダーとの相対角度の変更調整が必要であるので、手間隙がかかる。設置後に笠木の角度調整を行なう場合は、支柱の移設が必要になる場合が多く、作業性に問題がある。
【０００７】
本発明は、上記の点に鑑みてなされたものであり、施工性と作業性の向上を図り、設置の前後を通じて、設置場所の傾斜角度に応じて柔軟に笠木の角度調整ができる手摺を提供することを目的とする。
【課題を解決するための手段】
【０００８】
本発明は、上記目的を達成するため、支柱に笠木を取付けてなる手摺において、支柱を１本とし、その支柱の上部に取付部材を設け、その取付部材とビス等の固着手段とにより前記笠木を取付部材に交差する軸線の周りに回転角度調整可能に固定したことを特徴としている（請求項１）。
【０００９】
取付部材の正面側に笠木を設けることが望ましい（請求項２）。
【００１０】
笠木の中心部に被固着部材を備え、その被固着部材が支柱の軸線上において取付部材に交差する軸線周りの回転角度を調整可能に固着されていることが望ましい（請求項３）。
【００１１】
笠木は、取付部材に支柱から歩行者通路側に傾斜させた状態で取付けられていることが望ましい（請求項４）。そして、その笠木は、一対の横向きＵ字形ビームを左右対称形に配置し、そのＵ字形ビームの端部同士を連結部材により連結してなることが望ましい（請求項５）。
【００１２】
被固着部材は、連結部材に一体的に設けられていることが望ましい（請求項６）。
【００１３】
支柱に設けられた取付部材と笠木に設けられ被固着部材は、互いに対面して噛み合う菊花紋状の面歯車部を有することが望ましい（請求項７）。 
【００１４】
取付部材の面歯車部の中心と被固着部材の面歯車部の中心の一方には円孔を、他方にはその円孔方向に突出してその円孔に回転自在に嵌合する軸を設けてあることが望ましい（請求項８）。
【００１５】
取付部材には、笠木を固定した後の取付部材の背面と固着手段とを被覆するカバー材を備えることが望ましい（請求項９）。
【発明の効果】
【００１６】
請求項１の発明によれば、手摺は、１本の支柱とその支柱の上部に設けられた取付部材と固着手段と笠木とからなるので、構成は簡素で部品数が少ないため、施工性が良い。また、笠木をその１箇所において取付部材に対して任意の回転角度で固定して笠木の支柱に対する取付角度が調整可能であるので、設置の前後を問わず設置場所の傾斜に対応でき、現場対応能力及び取付角度調整作業性にも優れている。
【００１７】
請求項２の発明によれば、笠木の取付角度調整作業性が向上し、笠木の意匠性にも優れる。
【００１８】
請求項３の発明によれば、笠木の角度調整作業を容易に行なうことができるとともに、支柱と笠木の接続強度を大きくすることができる。
【００１９】
請求項４及び請求項５の発明によれば、笠木が支柱から歩行者通路側に傾斜しているので、人が笠木に寄りかかったり、子供や老人が笠木に手をかけ易く、歩行者が支柱に直接触れることも無く、安全性が高い。
【００２０】
請求項６の発明によれば、笠木に対して連結部材と被固着部材を一挙に取付けることができる。
【００２１】
請求項７の発明によれば、笠木の角度調整時に所望の角度で容易に止めることができるとともに、角度調整後の笠木の角度保持力が大きいので、人が笠木に力を加えても不要に回転することがなく、高い安全性が得られる。
【００２２】
請求項８の発明によれば、取付部材の面歯車部と被固着部材の面歯車部の対面状態を保ったまま、笠木の角度変更作業及び角度変更後の締め付け作業を安定して能率良く行なうことができる。
【００２３】
請求項９の発明によれば、取付部材の背面及び固着手段がカバーにより被覆されるので、安全性が向上する。
【図面の簡単な説明】
【００２４】
【図１】本発明に係る手摺の一例の斜視図である。
【図２】同手摺の展開図であり、（ａ）は正面図、（ｂ）は右側面図、（ｃ）は平面図である。
【図３】支柱の上部に取付けられた取付部材を正面側から見た斜視図である。
【図４】同取付部材の展開図であり、（ａ）は正面図、（ｂ）は右側面図、（ｃ）は背面図、（ｄ）は（ｃ）のＸ−Ｘ線断面図、（ｅ）は底面図、（ｆ）は（ｃ）のＹ−Ｙ線断面図である。
【図５】手摺の連結部材及び被固着部材を示す斜視図である。
【図６】第１連結部材の展開図であり、（ａ）は正面図、（ｂ）は（ａ）の中央縦断面図である。
【図７】被固着部材の展開図であり、（ａ）は正面図、（ｂ）は（ａ）の中央縦断面図である。
【図８】第１連結部材、第２連結部材及び被固着部材の結合構造を説明する断面図である。
【発明を実施するための形態】
【００２５】
続いて、本発明の実施の形態について図面を参照しながら説明する。
図１に示すように、本発明に係る手摺Ａは、概略的には、１本の支柱１の上部に、取付部材２及び固着手段（図１には図示されていない）により、笠木３を支柱１の軸線上においてその取付部材２に交差する軸線周りに回転角度調整可能に固定して構成されている。
【００２６】
支柱１に対する取付部材２の取付構造は特に限定されないが、図示の実施例について説明すると、支柱１はアルミニューム合金製中空形材で作られ、その中空部の上端部内側に固定部材４（図３参照）が嵌合され、図示されていないビスにより固着されている。嵌合・固着に代えて又は嵌合・固着とともに、固定部材４を支柱１の中空部に嵌着してもよい。固定部材４には、上面に開口する複数個のねじ孔（図示省略）が設けてある。支柱１の上端部に載置した又は嵌合した取付部材２の正面側及び背面側の下部に形成された凹部２１の上面から、その凹部の底面を上下方向に貫通する孔２１ａにビス５を貫通し、取付部材２の下方に突出させ、前記固定部材４のねじ孔にねじ込んで取付部材２が支柱１の上部に取付けられている。
【００２７】
取付部材２は、後述される固着手段と協働して、笠木３を支柱１の軸線上において取付部材２と交差する軸線周りの任意の角度で取付部材２に固定するものである。取付部材２は、その正面に笠木取付面を有する。好ましい実施の形態においては、笠木取付面は菊花紋状の面歯車部２２により形成され、その面歯車部の中心に円孔２３が形成されている。
円孔２３の中心軸線は支柱１の軸線と交差する。面歯車部２２の外側には、円孔２３と中心が共通する円周上に等間隔をおいて複数個の円弧状の透孔２４が設けられている。各透孔２４には、取付部材２の背面側から固着手段に相当するビス（図示省略）を挿通して、笠木取付面から正面側に突出させることができる。取付部材の正面側外周には、笠木取付面よりも正面方向に突出する嵌合縁２５が設けられている。さらに、取付部材２には、その背面に開口するねじ孔２６が複数個配設されている。そして、必要に応じて背面側に補強用リブ２７が形成されている。
【００２８】
笠木３は、図１、２に示すように、アルミニューム合金製パイプ又は樹脂製円棒を横向きＵ字形に加工して形成したビーム３１を左右対称形に配置し、各端部を連結部材３２により一体的に連結して、横長の長円状又は長方形状に形成されている。横向きＵ字形のビーム３１は、上下２本の水平部材３１ａの一端同士を結合部材３１ｂで溶接して完成したもの、又は結合部材３１ｂの両端部と各水平部材３１ａの一端との間にそれぞれ連結ブロック（図示せず）の両端部を圧入して結合したものでもよい。そして、左右一対の横向きＵ字形のビーム３１を、上下の水平部材の端部同士を突合せ、上側の突合せ部分同士及び下側の突合せ部分同士を連結部材３２により連結してある。笠木３は、一枚の帯板状のものであってもよい。
【００２９】
連結部材３２は、図示の例では、図６〜図８に示すように、第１連結部材に相当する正面側連結部材３２Ａと第２連結部材に相当する背面側連結部材３２Ｂとからなっている。
各連結部材３２Ａ、３２Ｂは、両端部に笠木３の上下の水平部材３１ａを嵌合する断面ほぼ半円形の抱持部３２Ａ１，３２Ａ２；３２Ｂ１，３２Ｂ２と、上下の抱持部の間を延び、それらの抱持部を連結する連結部３２Ａ３、３２Ｂ３とを一体に有する。抱持部３２Ａ１，３２Ａ２と抱持部３２Ｂ１，３２Ｂ２の一方の先端には係止爪３２１が、他方の先端には前記係止爪と弾性的に係合する係止溝３２２が形成されている。
【００３０】
そして、正面側連結部材３２Ａと背面側連結部材３２Ｂを笠木３の左右の横向きＵ字形のビーム３１の連結部分の正面と背面の両側から互いに接近させ、各組の抱持部３２Ａ１，３２Ａ２；３２Ｂ１，３２Ｂ２の凹溝部に笠木３の水平部材３１ａを嵌合して、さらに両抱持部を互いに押し合わせると、一方の抱持部の係止爪３２１と他方の抱持部の係止溝３２２が弾性係合して各組の抱持部がほぼ円形状に連続し、その形状を保持する。
【００３１】
これにより、正面側連結部材３２Ａと背面側連結部材３２Ｂが見掛け上、一体の連結部材３２となり、左右のＵ字形のビーム３１が一体的に結合される。しかし、正面側連結部材３２Ａと背面側連結部材３２Ｂとを一体的に接続する構造は、図示の例に限定されない。また、連結部材３２の構成及び笠木との連結構造も限定されない。
【００３２】
上記笠木３を取付部材２及びビス等の固着手段を用いて支柱１の軸線上において取付部材２と交差する軸線周りに任意の角度において固定するには、取付部材２の透孔２４に貫通したビスを直接に連結部材３２にねじ込む構成とすることも可能である。その場合は、連結部材３２にビスをねじ込むねじ孔を透孔２４が設けられている円の直径と等しい直径を有する円上に設ければよいが、連結部材３２と取付部材２との接続強度が問題となり、笠木３を手摺設置場所の傾斜角度に応じて強固に取付けることが困難になる。
【００３３】
このような問題を解消するため、好ましい実施の形態では、図５に例示するように、連結部材３２の背面側（歩行者通路と反対側）に、すなわち、背面側連結部材３２Ｂの正面側連結部材３２Ａと反対側の面に被固着部材３３が設けられている。 
【００３４】
被固着部材３３を背面側連結部材３２Ｂに取付け易くするため、また、笠木３を下側水平部材３１ａが上側水平部材３１ａよりも歩行者通路側に変位させた状態で取付けられるようにするため、背面側連結部材３２Ｂは、図６に示すように、連結部３２Ｂ３の中間位置に所定の直径を有する円管を一端においてはその軸線と直角に、他端においてはその軸線に対して斜めに切断してなる嵌合部３２Ｂ４を一体に有する。
【００３５】
そして、被固着部材３３は、取付部材２と同様に所要の強度を備えるため、アルミニューム合金鋳物で作られ、図７に示すように、背面側連結部材３２Ｂの嵌合部３２Ｂ４の内径とほぼ等しい外径を有する被嵌合部３３１を有するとともに、その被嵌合部３３１の内側の直角切断面の中心に、被嵌合部の中心軸線上において外側に突出する軸３３２が形成されている。この軸３３２の径は、取付部材２の円孔２３の径とほぼ等しく設定されている。そして、軸３３１の外周に取付部材２の面歯車部２２のピッチと同一のピッチを有する菊花紋章の面歯車部３３３が形成されている。また、面歯車部３３３の外周に、一つの円上に例として４５度ピッチの等間隔を置いてねじ孔３３４が設けられている。ねじ孔３３４が配設されている円と取付部材２の透孔２４が設けられている円は、等しい直径を有している。
【００３６】
被固着部材３３は、被嵌合部３３１の斜め切断面側端部にその斜め切断面に沿って上下に延出する延出部３３５が設けられ、上下の延出部３３５の端部に背面側連結部材３２Ｂの抱持部３２Ｂ１，３２Ｂ２の内面円弧の曲率と同一曲率を有する円弧部３３６が形成されている。
【００３７】
上記構成の被固着部材３３は、図８に示す順序で連結部材３２の中に固定される。すなわち、まず、被固着部材３３の上下の円弧部３３６の凹面に笠木３の上下の水平部材３１ａ同士の突合せ部分を嵌合し、続いて、被固着部材３３の被嵌合部３３１を背面側連結部材３２Ｂの嵌合部３２Ｂ４にその斜め切断面側から嵌合させ、面歯車部３３３の頂面及び軸３３２を嵌合部３２Ｂ４の直角切断面より外側に突出させる。これにより、被嵌合部３３１の外周面が背面側連結部材３２Ｂの嵌合部３２Ｂ４の内周面に密着するとともに、延出部３３５の表面が背面側連結部材３２Ｂの連結部３２Ｂ３の正面に密着し、かつ、そのとき、背面側連結部材３２Ｂの抱持部３２Ｂ１の内面が笠木３の水平部材３１ａの被固着部材３３の円弧部３３６により被覆されていない外周の二分の一の部分に嵌合して、これを被覆する（図５参照）。
【００３８】
そして、最後に、正面側連結部材３２Ａを笠木３の水平部材３１ａに背面側連結部材３２Ｂと反対側より接近させ、その正面側連結部材３２Ａの抱持部３２Ａ１、３２Ａ２の先端を背面側連結部材３２Ｂの抱持部３２Ｂ１、３２Ｂ２の先端に押し付け、係止爪３２１と係止溝３２２により係合・固定して、完結した連結部材３２を構成するとともに、被固着部材３３３を固定する。抱持部３２Ａ１，３２Ａ２；３２Ｂ１，３２Ｂ２の係止のみによって連結・固定することに加えて、図８に例示するように、一方の連結部材３２Ａの側面壁に貫通したビス（図示せず）を被固着部材３３の側面壁に設けたねじ孔３３７にねじ込んで結合してもよい。
【００３９】
こうして、支柱１の上部には取付部材２の正面中央に円孔２３が開口し、笠木３の連結部材３２の背面側には被固着部材３３の軸３３２が背面方向に突出していることになる。
そして、その笠木３の中央背面の軸３３２を支柱上部の取付部材２の円孔２３に挿入し、笠木３を水平状態にすると、被固着部材３３の８個のねじ孔３３４のうち、真上のねじ孔から時計方向４５度及び反時計方向４５度の位置にあるねじ孔及び真下のねじ孔から時計方向４５度及び反時計方向４５度の位置にあるねじ孔が、取付部材２の各透孔２４の長軸方向のほぼ中央に位置する。そこで、取付部材２の背面側から各透孔２４にビスを貫通し、被固着部材３３の上記各透孔２４に臨んでいるねじ孔にねじ込むことができる。そして、全ビスを完全に締め付ければ、笠木３は水平状態で固定される。そのとき、面歯車部２２，３３３は等しいピッチであり、一方が他方に対して１ピッチ分円周方向にずらしてあるので、取付部材２の面歯車部２２と被固着部材３３の面歯車部３３３とがしっかり噛み合うため、堅固に接続されている。
【００４０】
従って、笠木の片方の端部に下向きの力が加えられても、笠木の支柱に対する角度が変ることがない。これに対して、ビスを緩めた後、笠木を持って軸３３２を中心として時計方向又は反時計方向の回転力を加えると、笠木が軸３３２を中心として回転するとともに、ビスはいずれも透孔２４に沿って移動する。一つのビスの透孔における笠木の回転可能角度は、図示の例では４５度であるが、これに限定されない。ビスを隣りの透孔に移動すれば、笠木の取付角度をさらに大きくすることができる。そして、笠木の支柱に対する取付角度を変更又は調整した後、ビスを再び締め付け、面歯車部同士を噛み合わせると、笠木を変更又は調整後の取付角度に堅固に固定することができる。
【００４１】
取付部材２に対する笠木３の取付及び角度調整を終了したとき、その取付部材の背面にカバー６を取付部材の背面周囲に形成してある段部２８に嵌合し、そのカバー６の背面からビスを取付部材の背面のねじ孔２５にねじ込んで固定することができる。このカバー６により、取付部材の背面に現れる透孔２４及びリブ２７が隠蔽されるので、取付部材、そして手摺全体の外観が向上する。
【００４２】
被固着部材３３の側面形状を台形にしたので、取付部材２の笠木取付面が垂直でも笠木の上側水平部材よりも下側水平部材を歩行者通路側に変位された斜め笠木として取付けることができる。従って、斜め笠木であるから、その笠木に老人や子供などが手で触り、擦りながら歩行することができ、その際、支柱は歩行者通路と反対側にあるので、歩行者に触れるなどの障害になることがなく、また、斜め笠木であるから、これに腰を掛けたり、寄りかかったりすることができる。
【図１】
2011032701.tif 000003
【図２】
2011032701.tif 000004
【図３】
2011032701.tif 000005
【図４】
2011032701.tif 000006
【図５】
2011032701.tif 000007
【図６】
2011032701.tif 000008
【図７】
2011032701.tif 000009
【図８】
2011032701.tif 000010